(57)【要約】【課題】魂柱がない弦楽器であっても、バイオリン等と同様の擦弦方法で十分な音を出すことができる弦楽器用の駒を提供する。【解決手段】弦の振動を胴部の振動板に伝達する弦楽器用の駒４であって、フレーム本体１１、及び、複数の脚部１２を含むフレーム部１０と、複数の脚部の間においてフレーム本体に接続され、弦の振動を振動板に伝達する振動伝達部２０と、を備え、振動伝達部には、弦を支持する弦支持部２１と、振動板に接触する接触部２２とが設けられている弦楽器用の駒を提供する。【選択図】図１
2018151555.tif 000002
【特許請求の範囲】
【請求項１】
弦の振動を胴部の振動板に伝達する弦楽器用の駒であって、
フレーム本体、及び、複数の脚部を含むフレーム部と、
前記複数の脚部の間において前記フレーム本体に接続され、前記弦の振動を前記振動板に伝達する振動伝達部と、を備え、
前記振動伝達部には、前記弦を支持する弦支持部と、前記振動板に接触する接触部とが設けられている弦楽器用の駒。
【請求項２】
前記振動伝達部が、前記弦支持部における振動方向と前記接触部における振動方向とを異ならせる機能を有する請求項１に記載の弦楽器用の駒。
【請求項３】
前記振動伝達部が、
前記弦支持部を含むと共に前記接触部に接続される揺動部と、
前記揺動部からフレーム本体まで延び、弾性的に変形可能な接続部と、を備え、
前記揺動部のうち前記弦支持部と前記接触部に対する接続部分とは、前記弦と前記振動板とが並ぶ方向に直交する方向に互いにずれて位置している請求項２に記載の弦楽器用の駒。
【請求項４】
複数の前記振動伝達部が、互いに間隔をあけた位置において前記フレーム部に対して振動可能に接続されている請求項１から請求項３のいずれか一項に記載の弦楽器用の駒。
【請求項５】
各振動伝達部が、前記弦支持部を含む振動伝達本体部を備え、
各振動伝達部の前記接触部が、前記振動伝達本体部に対して着脱可能とされ、
複数の前記振動伝達部の前記接触部は、一体に形成されている請求項４に記載の弦楽器用の駒。
【請求項６】
前記胴部と、前記弦と、請求項１から請求項５のいずれか一項に記載の弦楽器用の駒と、を備える弦楽器。
【請求項７】
前記胴部は、筒状に形成された胴部本体の一方の開口を前記振動板により塞ぐことで構成され、
前記複数の脚部が、前記胴部本体の開口の縁によって支持された前記振動板の部位に押し当てられている請求項６に記載の弦楽器。
【発明の詳細な説明】
【技術分野】
【０００１】
本発明は、弦楽器用の駒、及び、弦楽器に関する。
【背景技術】
【０００２】
従来の弦楽器には、バイオリン等のように、弓によって弦を胴部の表板（振動板）に平行する方向に擦ることで音を出すものがある。この種の弦楽器では、表板と弦との間に挟み込まれて弦の振動を表板に伝達する駒が、表板に押し付けられる二本の脚を有する（例えば特許文献１参照）。駒の一方の脚を支持する表板の部位は、一方の脚の近傍に設置された魂柱によって支持されている。魂柱は、胴部内において木材等のように剛性が比較的高い素材からなる表板と裏板との間に挟み込まれている。これにより、バイオリン等の弦楽器では、弦を表板に平行する方向に擦ることで音を出すことができる。
【先行技術文献】
【特許文献】
【０００３】
【特許文献１】米国特許出願公開第２００４／００９９１２３号明細書
【発明の概要】
【発明が解決しようとする課題】
【０００４】
ところで、弦楽器には、例えば二胡のように、弓によって弦を胴部の振動板に直交する方向に擦ることで音を出すものがある。この種の弦楽器において、駒を支持する振動板は、蛇皮などのように膜状に形成され、バイオリン等の表板と比較して柔らかく剛性が低い。このことから、膜状の振動板を有する弦楽器においてバイオリン等と同様の魂柱を設けることは好ましくない。このため、仮に、二本の脚を有するバイオリン等の駒を二胡等の弦楽器に適用し、バイオリン等と同様に弦を振動板に平行する方向に擦っても、駒が弦の長手方向を軸として回転し、駒の二本の脚が互いに逆位相で振動板の厚さ方向に振動してしまう。その結果、弦の振動が振動板に十分に伝わらず、十分な音を出すことができない。
【０００５】
また、弦楽器から豊かな音色で十分な音を出すためには、駒で支持する弦の張力を大きくすることが好ましい。しかしながら、振動板の剛性が低いと、駒が振動板に過度に押し付けられ、振動板が弦の張力によって過度に変形してしまう。その結果、豊かな音色で十分な音を出すことが難しい、という問題もある。
【０００６】
本発明は、上述した事情に鑑みてなされたものであって、魂柱を設けることが困難な弦楽器において、バイオリン等と同様の擦弦方法で十分な音を出すことができ、また、駒で支持する弦の張力を大きくしても、豊かな音色で十分な音を出すことが可能な弦楽器用の駒、及び、弦楽器を提供することを目的とする。
【課題を解決するための手段】
【０００７】
上記課題を解決するために、本発明の弦楽器用の駒は、弦の振動を胴部の振動板に伝達する弦楽器用の駒であって、フレーム本体、及び、複数の脚部を含むフレーム部と、前記複数の脚部の間において前記フレーム本体に接続され、前記弦の振動を前記振動板に伝達する振動伝達部と、を備え、前記振動伝達部には、前記弦を支持する弦支持部と、前記振動板に接触する接触部とが設けられている。
また、本発明の弦楽器は、前記胴部と、前記弦と、前記弦楽器用の弦と、を備える。
【０００８】
振動板には、バイオリンの表板などのように板状に形成されたもの、及び、二胡の蛇皮などのように膜状に形成されたものが含まれる。
【発明の効果】
【０００９】
本発明によれば、二胡などのように魂柱がない弦楽器において、バイオリン等と同様の擦弦方法で十分な音を出すことができる。また、駒によって支持する弦の張力を大きくしても、豊かな音色で十分な音を出すことができる。
【図面の簡単な説明】
【００１０】
【図１】本発明の一実施形態に係る弦楽器用の駒を示す斜視図である。
【図２】図１の駒を弦楽器に設けた一例を示す図である。
【図３】図１の駒における動作を説明するための図である。
【発明を実施するための形態】
【００１１】
以下、図１−３を参照して本発明の一実施形態について説明する。
図１，２に示すように、本実施形態に係る弦楽器用の駒４は、弦３の振動を胴部２の振動板６に伝達するものである。弦楽器は四本の弦を有するバイオリンなど任意であってよい。本実施形態では、二本の弦を有する二胡を弦楽器の一例として説明する。
【００１２】
図２に示すように、本実施形態に係る弦楽器１は、胴部２と、胴部２の振動板６の外面上において張られた弦３と、振動板６と弦３との間に配される駒４を備える。
胴部２は、胴部本体５と、振動板６を有する。胴部本体５は筒状に形成されている。振動板６は、胴部本体５の一方の開口７を塞ぐように配されている。振動板６は、バイオリンの表板などのように剛性が比較的高い板状に形成されたものであってもよい。本実施形態の振動板６は、二胡の蛇皮などのようにバイオリンの表板よりも柔らかく剛性が低い膜状に形成されたもの（振動膜）である。
【００１３】
図１，２に示すように、本実施形態に係る駒４は、フレーム部１０と、振動伝達部２０を備える。
フレーム部１０は、フレーム本体１１、及び、複数の脚部１２を有する。複数の脚部１２は、互いに間隔をあけた位置においてフレーム本体１１の同一方向（図１，２においてＺ軸負方向）側に設けられている。
【００１４】
フレーム本体１１は、円形や多角形、リング状など任意の形状に形成されてよい。本実施形態のフレーム本体１１は、概ね一方向（図１，２においてＸ軸方向）に延びて形成されている。より具体的に、フレーム本体１１は、概ね一方向に延びる帯板状に形成されている。
【００１５】
本実施形態において、脚部１２は、フレーム本体１１の長手方向の両端部に設けられている。フレーム本体１１の長手方向の各端部には、例えば互いに間隔をあけて位置する複数の脚部１２が接続されてもよいが、本実施形態では一つの脚部１２が接続されている。すなわち、本実施形態の駒４における脚部１２の数は二つである。より具体的に、二つの脚部１２は、帯板状に形成されたフレーム本体１１に対し、フレーム本体１１の幅方向の一方側に設けられている。これにより、二つの脚部１２は、帯板状のフレーム本体１１と共に一枚の板材によって形成することができる。
【００１６】
本実施形態の駒４は、二つの脚部１２の先端１３（脚部１２のうちＺ軸負方向の端）を、振動板６のうち胴部本体５の開口７の縁８を覆う部位に押し当てるようにして配される。複数の脚部１２は、振動板６上で安定に配置できるように形成されているとよい。
各脚部１２の先端１３は、例えば脚部１２が押し当てられる胴部２（胴部本体５や振動板６）の部位の形状に対応する凹凸を有する形状に形成されてもよい。本実施形態では、胴部本体５の開口７の縁８が平坦に形成されているため、各脚部１２の先端１３も平坦に形成されている。また、二つの脚部１２の平坦な先端１３は、例えば互いに平行していなくてもよいが、本実施形態では互いに平行している。また、Ｚ軸方向における二つの脚部１２の長さは、例えば互いに異なっていてよいが、本実施形態では互いに等しい。すなわち、二つの脚部１２の先端１３は、Ｚ軸方向に直交する同一平面上に位置する。
【００１７】
本実施形態のフレーム部１０では、フレーム本体１１が弓状に湾曲して形成されると共に、二つの脚部１２が湾曲したフレーム本体１１の両端部に対して滑らかに接続されている。すなわち、本実施形態のフレーム部１０は、アーチ状あるいはＣ字状に形成されている。
【００１８】
以上のように構成されるフレーム部１０は、例えば、弦３の振動に伴って後述する振動伝達部２０が振動しても変形しない程度の剛性を有しているとよい。また、フレーム部１０は、任意の素材によって形成されてよい。本実施形態のフレーム部１０は、従来のバイオリンなどの駒４と同様に、木材によって形成されている。
【００１９】
駒４の振動伝達部２０は、弦３の振動を胴部２の振動板６に伝達する部位である。振動伝達部２０は、複数の脚部１２の間においてフレーム本体１１に接続されている。振動伝達部２０はフレーム本体１１に対して振動可能である。
振動伝達部２０には、弦３を支持する弦支持部２１と、振動板６に接触する接触部２２が設けられている。弦支持部２１は、振動伝達部２０のうちＺ軸正方向（前述の同一方向と反対方向）側に位置する第一端部に設けられている。弦支持部２１は、弦３の一部が入り込む窪みによって構成されている。弦支持部２１は、例えば複数の弦３を支持してもよいが、本実施形態では一つの弦３のみを支持する。接触部２２は、振動伝達部２０のうちＺ軸負方向側に位置する第二端部に設けられている。
【００２０】
本実施形態の振動伝達部２０は、弦支持部２１における振動伝達部２０の振動方向と、接触部２２における振動伝達部２０の振動方向とを異ならせる機能を有する。
具体的に、振動伝達部２０は、弦支持部２１を含むと共に接触部２２に接続される揺動部２４と、揺動部２４からフレーム本体１１まで延び、弾性的に変形可能な接続部２５を備える。揺動部２４のうち弦支持部２１と接触部２２に対する接続部分とは、Ｚ軸方向（弦３と振動板６とが並ぶ方向）に直交する方向において互いにずれて位置している。
【００２１】
揺動部２４は、接続部２５が弾性的に変形することで、フレーム部１０に対して弾性的に揺動する。すなわち、揺動部２４は、接続部２５を支点としてフレーム部１０に対して揺動する。揺動部２４は、例えば接触部２２と一体に形成されてもよいが、本実施形態では別個に形成されている。また、揺動部２４は、接触部２２に固定されず、接触部２２に対して着脱可能に配される。
揺動部２４は、任意の素材によって形成されてよい。本実施形態の揺動部２４は、木材によって形成されている。
【００２２】
接続部２５は、Ｚ軸負方向において弦支持部２１（第一端部）よりも接触部２２との接続部分（第二端部）近い位置で揺動部２４に接続されている。本実施形態において、接続部２５は、揺動部２４のうちＺ軸負方向側の端部に接続されている。
接続部２５のうちフレーム本体１１から揺動部２４に至る長手方向の一部には、他の部分よりも細い括れ部２６が形成されている。接続部２５は、括れ部２６を支点として弾性的に撓み変形可能となっている。括れ部２６は、Ｚ軸負方向において弦支持部２１（第一端部）よりも接触部２２との接続部分（第二端部）の近くに位置していればよい。本実施形態において、括れ部２６は、揺動部２４のうちＺ軸負方向側の端部に対応する位置に配されている。括れ部２６は、接続部２５の長手方向において任意の位置に形成されてよいが、本実施形態ではフレーム本体１１よりも揺動部２４に近い位置に形成されている。
接続部２５は、例えばゴム等の弾性体によって形成されてもよいが、本実施形態では、揺動部２４と同様の木材によって形成されている。
【００２３】
以上のように構成される本実施形態の振動伝達部２０では、図３に示すように、揺動部２４における弦支持部２１が、Ｚ軸方向に直交する方向（図３におけるＶ１方向（Ｘ軸方向））に振動した際に、揺動部２４が接続部２５を支点として弾性的に揺動する。これにより、揺動部２４における接触部２２との接続部分をＺ軸方向（図３におけるＶ２方向（Ｚ軸方向））に振動させることができる。すなわち、弦支持部２１における振動伝達部２０の振動方向（Ｖ１方向）と、接触部２２における振動伝達部２０の振動方向（Ｖ２方向）とを異ならせることができる。
【００２４】
揺動部２４の形状は任意であってよいが、本実施形態では図１，３に示すようにＬ字状に形成されている。具体的に、揺動部２４は、第一腕部２７と、第一腕部２７に対して直交する方向に延びる第二腕部２８を備える。第一腕部２７は、弦支持部２１を含み、弦支持部２１からＺ軸負方向に延びている。第二腕部２８は、第一腕部２７の延長方向の先端部から第一腕部２７の延長方向に直交して延びている。第二腕部２８は、接触部２２に接続される部位である。
接続部２５は、第一腕部２７の延長方向の先端部（第二腕部２８の延長方向の基端部）に接続されている。
【００２５】
第一腕部２７は、図示例のように、第一腕部２７の延長方向の中途部に括れを有する形状に形成されてもよいが、これに限ることはない。また、第二腕部２８は、図示例のように、第二腕部２８の延長方向の先端１３に向けて先細る形状に形成されてもよいが、これに限ることはない。
【００２６】
揺動部２４は、前述したフレーム部１０に対して任意に位置してよい。本実施形態の揺動部２４は、フレーム本体１１に対してＺ軸負方向側に位置している。また、本実施形態では、揺動部２４の一部（特に弦支持部２１を含む揺動部２４の部分）が、フレーム本体１１に形成された切欠き１４内に位置している。
フレーム本体１１と揺動部２４とを接続する接続部２５の形状は、任意であってよい。本実施形態の接続部２５は、フレーム本体１１からＺ軸負方向に延びると共にフレーム本体１１の長手方向（図１，３においてＸ軸方向）に延びることで揺動部２４に到達するように形成されている。
本実施形態のように、フレーム部１０に対する揺動部２４の位置を設定すると共に、接続部２５を形成することで、フレーム部１０、揺動部２４及び接続部２５を一枚の板材で形成することができる。
【００２７】
接触部２２は、振動板６に面接触する接触面２９を有する。接触部２２の接触面２９は、接触部２２を揺動部２４（第二腕部２８）に接触させた状態で、Ｚ軸負方向に向く接触部２２の面である。
接触部２２の接触面２９は、例えばＺ軸負方向において脚部１２の先端１３よりも突出してもよい、すなわち、脚部１２の先端１３に対してＺ軸負方向側にずれて位置してもよい。本実施形態において、接触部２２の接触面２９は、Ｚ軸負方向において脚部１２の先端１３よりも突出しない。すなわち、接触部２２の接触面２９は、図３に例示するように、脚部１２の先端１３と共にＺ軸方向に直交する同一平面（ＸＹ平面）上に位置してもよいし、脚部１２の先端１３に対してＺ軸正方向側にずれて位置してもよい。脚部１２の先端１３に対する接触面２９のずれ量は、振動板６と弦３との間に揺動部２４及び接触部２２を配し、揺動部２４及び接触部２２が弦３の張力によってＺ軸負方向に変位した状態で、接触部２２の接触面２９が少なくとも振動板６に接触するように設定されるとよい。
【００２８】
本実施形態の駒４では、複数の振動伝達部２０が、互いに間隔をあけた位置においてフレーム部１０に対して振動可能に接続されている。各振動伝達部２０は、弦支持部２１を含む振動伝達本体部３０を備える。振動伝達本体部３０には、揺動部２４及び接続部２５が含まれるが、接触部２２は含まれない。
【００２９】
各振動伝達部２０において、接触部２２は振動伝達本体部３０に対して着脱可能とされている。接触部２２は振動伝達本体部３０のうちＺ軸負方向側の端部に配される。複数の振動伝達部２０の接触部２２は、例えば別個に形成されてもよいが、本実施形態では一体に形成されている。以下、この点について、より具体的に説明する。
【００３０】
本実施形態の駒４は、振動伝達部２０を二つ備える。二つの振動伝達部２０の振動伝達本体部３０は、フレーム本体１１の長手方向に間隔をあけて配列されている。二つの振動伝達本体部３０の接続部２５は、フレーム本体１１から各揺動部２４まで互いに近づく方向に延びている。二つの揺動部２４の弦支持部２１同士の間隔は、二つの揺動部２４の接触部２２との接続部分（第二腕部２８）同士の間隔よりも大きい。このように二つの振動伝達部２０が相対的に位置していることで、二つの振動伝達部２０の接触部２２を一体に形成することができる。
【００３１】
複数の接触部２２を一体に形成してなる接触体３１は、Ｚ軸方向を板厚方向とする板状に形成されている。本実施形態の接触体３１は、複数の接触部２２の接触面２９全体が従来の二胡の駒の場合と同様の円形となるように、円板状に形成されている。
【００３２】
本実施形態の駒４において、二つの振動伝達部２０の形状や大きさ、また、剛性などの特性は、互いに等しくてもよいし、互いに異なっていてもよい。例えば、弦３の張力は音高などによって異なるため、二つの振動伝達部２０の間で、振動伝達部２０の振動のし易さが異なるように、二つの振動伝達部２０の形状や大きさ、また、剛性などの特性を異ならせてもよい。例えば、張力が大きい弦３を支持する振動伝達部２０では、接続部２５の弾性係数を大きく設定し、張力が小さい弦３を支持する振動伝達部２０では、接続部２５の弾性係数を小さく設定してもよい。
【００３３】
次に、上記した本実施形態の駒４を弦楽器１に取り付けた状態について説明する。
図２に示すように、本実施形態の駒４を弦楽器１に取り付けた状態では、フレーム本体１１が振動板６上に間隔をあけて位置するように、脚部１２の先端１３が振動板６のうち胴部本体５の開口７の縁８を覆う部位に配される。また、振動板６上で張られた弦３が、各振動伝達部２０の弦支持部２１によって支持される。
この状態では、脚部１２の先端１３が、弦３の張力によって振動板６のうち胴部本体５によって支持された部位に押し付けられる。これにより、弦３の張力を、フレーム部１０によって支持することができる。また、駒４を振動板６上で安定に保持することができ、駒４が外れることを好適に抑制できる。
【００３４】
また、上記した状態では、振動伝達部２０の接触部２２が振動板６に接触する。ここで、弦３の張力は主にフレーム部１０によって支持されるため、振動伝達部２０が弦３の張力によって振動板６に過度に押し付けられることを防止できる。本実施形態において、弦３の張力によって振動伝達部２０を振動板６に押し付ける力は、接触部２２（接触体３１）の板厚を変えることで、調整することができる。例えば接触部２２の板厚を小さくすることで、振動板６に対する振動伝達部２０の押付力を小さくすることができる。
【００３５】
以上のように構成される本実施形態の弦楽器１において、弓（不図示）により弦３を振動板６に平行する方向に擦った場合には、弦３が振動板６に平行する方向（図３においてＶ１方向）に振動する。この際、弦３の振動に伴って、振動伝達部２０がフレーム部１０に対して振動する。具体的には、揺動部２４が接続部２５の括れ部２６を支点にして、弾性的に揺動する。このため、揺動部２４における接触部２２との接続部分（第二腕部２８）及び接触部２２が、振動板６の板厚方向（図３においてＶ２方向）に振動する。これにより、振動板６をその板厚方向に十分に振動させることができる。すなわち、弦楽器１から十分な音を出すことができる。十分な音とは、十分な音量や音の伸びが得られることを意味する。
【００３６】
本実施形態の弦楽器１では、弦３を振動板６の板厚方向に擦ることで振動板６の板厚方向に振動させても、十分な音を出すことができる。弦３が振動板６の板厚方向に振動した際には、振動伝達部２０（特に揺動部２４）が振動板６の板厚方向（図３においてＶ２方向）に振動するためである。
【００３７】
以上説明したように本実施形態の弦楽器用の駒４は、フレーム本体１１及び複数の脚部１２を有するフレーム部１０と、フレーム本体１１に接続されて、弦３の振動を振動板６に伝達する振動伝達部２０を備える。このため、フレーム部１０の脚部１２を振動板６のうち胴部本体５の開口７の縁８を覆う部位に押し当てることで、振動伝達部２０の弦支持部２１で支持された弦３の張力を、主にフレーム部１０で支持することができる。すなわち、振動伝達部２０が、弦３の張力によって胴部２の振動板６に過度に押し付けられることを防ぎながら、振動伝達部２０の接触部２２を振動板６に接触させることができる。
このことから、振動板６が二胡の蛇皮のように柔らかく剛性が低い膜状に形成され、バイオリン等で採用されている魂柱が設けられていない弦楽器１において、バイオリン等と同様の擦弦方法で振動板６に平行する方向に弦３を振動させても、振動伝達部２０において弦３の振動方向を振動板６の板厚方向に変換することができ、十分な音を出すことができる。
【００３８】
また、本実施形態の弦楽器用の駒４では、前述したように、振動伝達部２０が振動板６に過度に押し付けられることを防止できるため、駒４で支持する弦３の張力が大きくなっても、振動板６が弦３の張力によって過度に変形することを抑制できる。その結果、振動板６の剛性が低い弦楽器１であっても、豊かな音色で十分な音を出すことが可能となる。
【００３９】
また、本実施形態の弦楽器用の駒４によれば、振動伝達部２０が、弦支持部２１における振動方向と、接触部２２における振動方向とを異ならせる機能を有する。これにより、振動伝達部２０において弦３の振動方向を振動板６の板厚方向に効率よく変換することができる。
【００４０】
また、本実施形態の弦楽器用の駒４によれば、振動伝達部２０が、弦支持部２１を含むと共に接触部２２に接続される揺動部２４と、弾性的に変形可能に形成されて揺動部２４とフレーム本体１１とを接続する接続部２５を備える。また、揺動部２４のうち弦支持部２１と接触部２２に対する接続部分（第二腕部２８）とは、弦３と振動板６とが並ぶ方向（Ｚ軸方向）に直交する方向に互いにずれて位置している。これにより、弦３が振動板６に平行する方向に振動した際に、接触部２２及び振動板６を振動板６の板厚方向に確実に振動させることができる。
【００４１】
また、本実施形態の弦楽器用の駒４によれば、複数の振動伝達部２０が、互いに間隔をあけた位置においてフレーム部１０に対して振動可能に接続されている。このため、弦３の振動に応じて複数の振動伝達部２０を個別に振動させることができる。これにより、所定の弦３の振動に伴う所定の振動伝達部２０の振動が、別の弦３を支持する振動伝達部２０によって阻害されることを防止できる。すなわち、各弦３の振動をそれぞれ振動板６に効率よく伝えることができる。
【００４２】
また、本実施形態の弦楽器用の駒４によれば、複数の振動伝達部２０が、それぞれ弦支持部２１を含む振動伝達本体部３０と、振動伝達本体部３０に対して着脱可能とされた接触部２２を備え、複数の振動伝達部２０の接触部２２が一体に形成されている。これにより、複数の弦３の振動を、振動板６の同一箇所に伝えることができる。したがって、弦３ごとに振動板６の振動特性が変わってしまうことを抑制できる。すなわち、胴部２から出力される音の特性が複数の弦３の間で異なることを抑制できる。
また、本実施形態の弦楽器用の駒４によれば、複数の振動伝達本体部３０が接触部２２に対して固定されずに着脱可能とされている。このため、複数の振動伝達本体部３０が接触部２２に固定される場合と比較して、所定の弦３の振動に伴う所定の振動伝達部２０の振動が、別の弦３を支持する振動伝達部２０によって阻害されることを防止できる。
【００４３】
以上、本発明について詳細に説明したが、本発明は上記実施形態に限定されるものではなく、本発明の趣旨を逸脱しない範囲において種々の変更を加えることが可能である。
【００４４】
本発明の弦楽器用の駒は、二胡に限らず、三味線など振動板が剛性の低い膜状である各種の弦楽器にも適用可能である。また、本発明の弦楽器用の駒は、バイオリン等のように振動板が剛性の高い板状であり、魂柱を有する弦楽器にも適用可能である。本発明の駒が魂柱を有する弦楽器に適用される場合、駒の脚部は、上記実施形態と同様に胴部本体の開口の縁によって支持された振動板の部位に押し当てられてもよいし、例えば魂柱によって支持された振動板の部位に押し当てられてもよい。すなわち、本発明の駒の脚部は、少なくとも振動板のうち振動させる必要がない部位に押し当てられればよい。
【符号の説明】
【００４５】
１…弦楽器、２…胴部、３…弦、４…駒、５…胴部本体、６…振動板、７…開口、８…縁、１０…フレーム部、１１…フレーム本体、１２…脚部、２０…振動伝達部、２１…弦支持部、２２…接触部、２４…揺動部、２５…接続部、２６…括れ部、２７…第一腕部、２８…第二腕部、２９…接触面、３０…振動伝達本体部、３１…接触体
【図１】
2018151555.tif 000003
【図２】
2018151555.tif 000004
【図３】
2018151555.tif 000005